(57)【要約】購入手段による購入手続きが完了した場合に、外部装置（３）と通信することなく、商品供給・管理装置（１）内において、購入前データ記憶手段（８ａ）に記憶された購入前の商品データを購入後の商品データとして購入後データ記憶手段（８ｂ）へ記憶させるとともに、商品としての機能を発揮させることが可能となるようにする。それにより、商品の一部の情報のみならず、購入前の商品そのものの電子化された商品データを商品の購入者の側で管理することが可能となる。
2002084550.tif 000002
【特許請求の範囲】
【請求項１】
商品データを入力させ、購入手続きにより前記商品データを商品としての機能を発揮させることが可能である商品供給・管理装置（１）であって、
購入前の商品データを入力させることが可能な入力手段（６）と、
該入力手段（６）により入力された購入前の商品データを記憶する購入前データ記憶手段（８ａ）と、
前記商品データを購入した場合に、購入後の前記商品データを記憶する購入後データ記憶手段（８ｂ）と、
外部装置（３）との通信により前記購入手続きを行うことが可能な購入手段と（１２）を備え、
該購入手段（１２）による前記購入手続きが完了した場合に、前記外部装置（３）と通信することなく、前記商品供給・管理装置（１）内において、前記購入前データ記憶手段（８ａ）に記憶された前記購入前の商品データを前記購入後の商品データとして前記購入後データ記憶手段（８ｂ）へ記憶させるとともに、前記商品としての機能を発揮させることが可能となる、商品供給・管理装置。
【請求項２】
前記商品データには、電子情報として記録された電子商品のデータである電子商品データと実際に物が存在する実商品のデータである実商品データとが含まれており、
前記購入前データ記憶手段（８ａ）および前記購入後データ記憶手段（８ｂ）のそれぞれにおいては、前記電子商品データと前記実商品データとが同じ形式のデータで記憶される、請求項１に記載の商品供給・管理装置。
【請求項３】
前記購入手段（１２）による購入手続きとは別の手続きにより入手された別の商品のデータである別商品データを、前記購入後商品データ記憶手段（８ｂ）に記憶させることが可能である、請求項１に記載の商品供給・管理装置。
【請求項４】
前記購入後データ記憶手段（８ｂ）に記憶された１つの商品データを複数に分割する分割手段（２７）と、
前記購入後データ記憶手段（８ｂ）に記憶された複数の商品データの組合せを１つの商品データ群として統合する統合手段（２８）とを備えた、請求項１に記載の商品供給・管理装置。
【請求項５】
前記購入後の商品データの情報に基づいて、前記商品の購入者の嗜好データを抽出することが可能な嗜好抽出手段（１３）と、
該嗜好抽出手段（１３）により抽出された前記嗜好データを記憶する嗜好データ記憶手段（８ｃ）と、
該嗜好データ記憶手段（８ｃ）に記憶された前記嗜好データに基づいて、前記購入前の商品データの中から選択された前記商品データの情報を、他の前記購入前の商品データの情報と区別された特別な形態で提示表示させる提示手段（１４）とを備えた、請求項１に記載の商品供給・管理装置。
【請求項６】
前記商品データの情報を商品のジャンル毎に分類された形態で表示することが可能である、請求項１に記載の商品供給・管理装置。
【請求項７】
前記購入手続き以降の新たな購入手続きが実行されるときに、前記購入後データ記憶手段（８ａ）に購入しようとする商品に関する情報と同一の商品に関する情報が記憶されているか否かにより、前記商品が購不済みか否かを判定する判定手段（１５）を備えた、請求項１に記載の商品供給・管理装置。
【請求項８】
前記購入前データ記憶手段（８ａ）に記憶された前記購入前の商品データの情報を陳列表示する購入前商品陳列表示領域（１８）と、
該購入前商品陳列表示領域（１８）とは別の領域であって、前記購入後データ記憶手段（８ｂ）に記憶された前記購入後の商品データの情報を表示する購入後商品陳列表示領域（２０）とを備えた、請求項１に記載の商品供給・管理装置。
【請求項９】
前記購入前商品陳列表示領域（１８）および前記購入後商品陳列表示領域（２０）のうち少なくともいずれか一方は、前記商品の提供者毎に分類して前記商品データの情報を陳列表示可能である、請求項８に記載の商品供給・管理装置。
【請求項１０】
前記購入前商品陳列表示領域（１８）は、新たに入力された商品データの情報のみを既に入力された商品データと区別してまとめて陳列表示することが可能である、請求項８に記載の商品供給・管理装置。
【請求項１１】
前記購入前商品陳列表示領域（１８）は、前記商品データの内容を紹介するために前記商品データの一部を表示する紹介表示領域（４２）を有する、請求項８に記載の商品供給・管理装置。
【請求項１２】
前記購入前商品陳列表示領域（１８）および前記購入後商品陳列表示領域（２０）のうち少なくともいずれか一方は、前記商品データの情報を所定の方法により整理して表示するための整理表示領域（４３，９２）を有する、請求項８に記載の商品供給・管理装置。
【請求項１３】
前記購入前商品陳列表示領域（１８）は、操作手段（１６，１７）を用いた操作により前記購入手段（１２）を動作させるための購入用表示領域（２３，４４）を表示する、請求項８に記載の商品供給・管理装置。
【請求項１４】
前記購入前商品陳列表示領域（１８）は、試用のために前記商品としての機能を発揮させることができる割合が前記商品データのうちの何割かを表示する機能発揮可能割合表示領域（５４）を有する、請求項８に記載の商品供給・管理装置。
【請求項１５】
前記商品供給・管理装置（１）は、電子情報通信網（２）を介して前記商品データの提供者（３）と通信可能に接続されており、
前記購入前商品データ記憶手段（８ａ）に、前記電子情報通信網（２）を介して前記提供者（３）から随時送信されてくる新たな前記商品データを、前記購入前の商品データとして記憶させることが可能に設定されている、請求項１に記載の商品供給・管理装置。
【請求項１６】
前記購入手続きにおいて、前記商品データが暗号化されている場合、該商品データを復号化するための鍵を前記商品データの提供者（３）から購入可能である、請求項１に記載の商品供給・管理装置。
【請求項１７】
請求項１に記載の商品供給・管理装置（１）と、
該商品供給・管理装置（１）と通信を行なって、該商品供給・管理装置（１）に対して前記商品データを送信可能な商品データ提供手段（３）とを備えた、商品供給・管理システム。
【請求項１８】
コンピュータに商品データを入力させ、購入手続きにより前記商品データを商品としての機能を発揮させることが可能である商品供給・管理装置（１）として動作させるためのプログラムプロダクトであって、
購入前の商品データを前記商品供給・管理装置（１）内へ入力するための入力手段（６）と、
該入力手段（６）により入力された購入前の商品データを記憶するための購入前データ記憶手段（８ａ）と、
前記商品データを購入した場合に、購入後の前記商品データを記憶するための購入後データ記憶手段（８ｂ）と、
外部装置（３）との通信により前記購入手続きを行なうための購入手段（１２）と、
前記購入手続きが完了した場合に、前記外部装置（３）と通信することなく、前記商品供給・管理装置（１）内において、前記購入前データ記憶手段（８ａ）に記憶された前記購入前の商品データを前記購入後の商品データとして前記購入後データ記憶手段（８ｂ）へ記憶させるとともに、前記商品としての機能を発揮させるための手段として、コンピュータを動作させるための、商品供給・管理プログラムプロダクト。
【請求項１９】
請求項１８に記載の商品供給・管理プログラムが記録されたコンピュータ読取り可能な商品供給・管理用記録媒体。
【請求項２０】
商品データを入力させ、購入手続きにより前記商品データを商品としての機能を発揮させる商品供給・管理方法であって、
購入前の商品データを前記商品供給・管理装置（１）内へ入力させる入力ステップと、
該入力ステップにより入力された前記購入前の商品データを購入前データ記憶手段（８ａ）へ記憶させる購入前データ記憶ステップと、
前記商品データを購入した場合に、購入後の前記商品データを購入後データ記憶手段（８ｂ）へ記憶させる購入後データ記憶ステップと、
通信により外部装置（３）との間で前記購入手続きを行わせる購入ステップと、
前記購入手続きが完了した場合に、前記外部装置（３）と通信することなく、前記商品供給・管理装置（３）内において、前記購入前データ記憶手段（８ａ）に記憶された前記購入前の商品データを前記購入後の商品データとして前記購入後データ記憶手段（８ｂ）へ記憶させるとともに、前記商品としての機能を発揮させるステップとを備えた、商品供給・管理方法。
【発明の詳細な説明】
商品供給・管理装置、その装置を用いるシステム、商品供給・管理プログラムプロダクト、そのプログラムが記録された記録媒体、および、商品供給・管理方法
技術分野
本発明は、商品データを入力させ、購入手続きにより前記商品データを商品としての機能を発揮させることが可能である商品供給・管理装置、その装置を用いるシステム、商品供給・管理プログラムプロダクト、そのプログラムが記録された記録媒体、および、商品供給・管理方法に関するものである。
背景技術
従来より、電子情報により販売されている商品の一例としての書籍がある。たとえば、電子情報により販売されている電子書籍を、パソコン等の装置を用いてインターネットを介して購入する場合、購入希望者は、パソコンのキーボードからの入力によりインターネットを介して、電子書籍の提供者に、特定の電子書籍を購入する意思がある旨をメール送信する。そして、電子書籍の購入希望の意思が記録されたメールを受信した電子書籍の提供者は、購入希望者に対し購入代金の受取りと引換えに、電子書籍をインターネットを介して購入希望者のパソコンなどの装置に送信する。これにより、電子書籍の購入者は、パソコンの画面などに電子書籍の文章を表示させて、電子書籍を購読することになる。
ただし、上記の従来の電子書籍の供給方法では、電子書籍を自由にコピーすることが可能である。また、その電子書籍の専用のブラウザソフトも無料配布されており、さらに、そのブラウザソフトもコピーも可能である。そのため、電子書籍の購入者（ユーザ）のモラルに頼る以外に、電子書籍の不正コピーを防止する方法はなかった。また、電子書籍は他のワープロソフトや表計算ソフトのファイルと同様に、その管理はすべてパソコンのファイル管理ソフトにより管理する必要があり、書籍という観点でまとめて管理する手段は提供されていなかった。
上記のような問題に対して、特開２０００−１１３０４７号公報では、以下の方法を提案している。電子書籍の提供者が、電子書籍を、電子書籍専用の閲覧鍵により暗号化して購読希望者へ配信することにより、電子書籍の購読希望者は、電子書籍を入手する。また、電子書籍の購読希望者は電子書籍の入手に伴って、閲覧鍵を電子書籍の提供者から有償で購入する。そして、電子書籍の購読希望者は、暗号化された閲覧鍵を自己のＩＣカード等の内部に記憶されている秘密鍵で復号化した後、復号化された閲覧鍵を用いて暗号化された電子書籍を解読して、電子書籍を購読する。また、購読希望者は、パソコンに電子書籍を専用に管理する電子書籍棚を設け、その上で電子書籍の購入手続、注文した電子書籍の到着の管理などを行なう。このような方法により、電子書籍の提供者は、電子書籍の不正コピーを防止することができるとともに、電子書籍の購入希望者は、電子書籍を書籍という観点でまとめて管理することが可能となっている。
しかしながら、特開２０００−１１３０４７号公報で提案されている方法では、以下の問題がある。
特開２０００−１１３０４７公報で提案されている方法では、購入前書籍の表題と購入後書籍の表題とを、視覚的にわかる区別をつけて表示するようになってはいるが、画面上の同一の表示領域上で購入前書籍の表題と購入後書籍の表題との双方を一緒にまとめて管理するため、購入前書籍と購入後書籍とが表示領域上に混在してしまう。したがって、購入前書籍と購入後書籍とが別々の表示領域毎にまとめて表示されるようにする必要がある。
また、購入前の書籍および購入後の書籍とも、各ジャンルごとによる整理方法および電子書籍の検索方法が提案されていないために、大量の書籍があった場合、その中から目的の書籍を探すときに時間がかかってしまう。したがって、購入前書籍および購入後書籍とも各ジャンル毎にまとめて整理して検索し易いようにする必要がある。
また、電子書籍のみの管理方法が提案され、実本情報の管理方法は提案されていないため、電子書籍購入時に、ユーザがその書籍を実本で所有しているかどうかが確認できず、実本と同一内容の電子書籍を誤って重複購入してしまう可能性がある。したがって、電子書籍の情報と同様の態様で所有している実本の情報を管理できるようにする必要がある。
さらに、特開２０００−１１３０４７号公報で提案されている方法においては、書籍の題名および著者などの電子書籍に関する一部の情報はパソコンで管理されているが、電子書籍の内容全てはパソコンで管理されていない。そのため、電子書籍を購入するときには、電子書籍の提供者のサーバにアクセスして電子書籍を購入する手続きを行い、電子書籍を購入希望者のパソコンへ送信する必要があり、電子書籍の購読希望者の過去の購読履歴を電子書籍の提供者側で管理することになる。
それにより、電子書籍の購読希望者（ユーザ）の過去の書籍購入履歴情報からユーザの嗜好を抽出して、ユーザの嗜好に合致する電子書籍を提示するといったサービスを行なう場合には、電子書籍の提供者のサーバは、大量の電子書籍購入履歴情報を長期間にわたって保持する必要がある。そのため、その情報を得ることを目的として、電子書籍の提供者のサーバに不正にアクセスして、電子書籍の購入履歴情報を盗聴しようとする者の盗聴行為が行ない易くなる。それにより、第三者にプライバシー情報が漏洩してしまう危険度が高くなる。
また、その場合には、電子書籍の提供者のサーバで多数の電子書籍の購読希望者全ての過去の書籍購入履歴情報を管理する必要があるため、電子書籍の提供者のサーバの負荷が非常に大きくなってしまう。
また、その場合には、電子書籍の提供者のサーバから購入希望者のパソコンへ大量のデータを送信する必要があり、ネットワークへの負荷と通信時間の双方で問題を生じる可能性が高くなる。
したがって、購入前の電子書籍の表題などの一部の情報のみならず、電子書籍そのものの情報を電子書籍の購読希望者の側で管理して、電子書籍の提供者のサーバから電子書籍そのものの情報を送信することなく電子書籍を購入することができるようにする必要がある。
本発明は、上述の問題に鑑みてなされたものであり、その目的は、商品の一部の情報のみならず、購入前の商品そのものの電子化された商品データを商品の購入者の側で管理することが可能な商品供給・管理装置、その装置を用いるシステム、商品供給・管理プログラムプロダクト、そのプログラムが記録された記録媒体、および、商品供給・管理方法を提供することである。
発明の開示
本発明の商品供給・管理装置は、商品データを入力させ、購入手続きにより商品データを商品としての機能を発揮させることが可能である商品供給・管理装置であって、購入前の商品データを入力させることが可能な入力手段と、入力手段により入力された購入前の商品データを記憶する購入前データ記憶手段と、商品データを購入した場合に、購入後の商品データを記憶する購入後データ記憶手段と、外部装置との通信により購入手続きを行うことが可能な購入手段とを備え、購入手段による購入手続きが完了した場合に、外部装置と通信することなく、商品供給・管理装置内において、購入前データ記憶手段に記憶された購入前の商品データを購入後の商品データとして購入後データ記憶手段へ記憶させるとともに、商品としての機能を発揮させることが可能となる。
上記の構成によれば、商品の提供者により提供される購入前の商品を、商品の提供を受ける商品購入者の商品供給・管理装置の側で管理することができる。
本発明の商品供給・管理装置は、商品データには、電子情報として記録された電子商品のデータである電子商品データと実際に物が存在する実商品のデータである実商品データとが含まれており、購入前データ記憶手段および購入後データ記憶手段のそれぞれにおいては、電子商品データと実商品データとが同じ形式のデータで記憶される。
上記の構成によれば、電子商品データと実商品データとをまとめて管理することができる。
本発明の商品供給・管理装置は、購入手段による購入手続きとは別の手続きにより入手された別の商品のデータである別商品データを、購入後商品データ記憶手段に記憶させることが可能である。
上記の構成によれば、別商品データと購入後商品データとをまとめて管理することができる。
本発明の商品供給・管理装置は、購入後データ記憶手段に記憶された商品データを複数の商品データに分割する分割手段と、購入後データ記憶手段に記憶された複数の商品データの組合せを１つの商品データ群として統合する統合手段とを備えている。
上記の構成によれば、ユーザの好みに応じて自由に、商品データを複数の商品データに分割することができるとともに、複数の商品データの組合せを１つの商品データ群として統合することができるため、多様な管理を行なうことができる。
本発明の商品供給・管理装置は、購入後の商品データの情報に基づいて、商品の購入者の嗜好データを抽出することが可能な嗜好抽出手段と、嗜好抽出手段により抽出された嗜好データを記憶する嗜好データ記憶手段と、嗜好データ記憶手段に記憶された嗜好データに基づいて、購入前の商品データの中から選択された商品データの情報を、他の購入前の商品データの情報と区別された特別な形態で提示表示させる提示手段とを備えている。
上記の構成によれば、商品購入者の嗜好データを商品の提供者の側で管理せず、商品の購入者自身が個々に管理することができるため、商品の提供者の側で管理するよりも、嗜好データが漏洩する可能性が低くなり、プライパシーを保護し易くなる。
本発明の商品供給・管理装置は、商品データの情報を商品のジャンル毎に分類された形態で表示することが可能である。
上記の構成によれば、それぞれのジャンルから商品を検索すればよいため、ジャンル毎に分かれて表示されず各ジャンルの商品が混在して表示される場合に比較して、商品の検索の効率が向上する。
本発明の商品供給・管理装置は、購入手続き以降の新たな購入手続きが実行されるときに、購入後データ記憶手段に購入しようとする商品に関する情報と同一の商品に関する情報が記憶されているか否かにより、商品が購入済みか否かを判定する判定手段とを備えている。
上記の構成によれば、商品を重複購入してしまう不都合を防止することができる。
本発明の商品供給・管理装置は、購入前データ記憶手段に記憶された商品に関する情報を陳列表示する購入前商品陳列表示領域と、購入前商品陳列表示領域とは別の表示領域であって、購入後データ記憶手段に記憶された商品に関する情報を表示する購入後商品陳列表示領域とを備えている。
上記の構成によれば、購入前の商品と購入後の商品とを別の表示領域を用いて区別して表示することができるため、商品の検索の効率が向上する。
本発明の商品供給・管理装置は、購入前商品陳列表示領域および購入後商品陳列表示領域のうち少なくともいずれか一方は、商品の提供者毎に分類して商品データの情報を陳列表示可能である。
上記の構成によれば、商品の提供者毎に分類して商品を陳列表示せずそれぞれの商品の提供者の商品が混在している場合に比較して、商品の検索の効率が向上する。
本発明の商品供給・管理装置は、購入前商品陳列表示領域が、新たに入力された商品データの情報のみを既に入力された商品データと区別してまとめて陳列表示することが可能である。
上記の構成によれば、新たに入力された商品データに関する情報を発見し易くなるため、新たな商品データに関する情報の検索の効率が向上する。
本発明の商品供給・管理装置は、購入前商品陳列表示領域は、商品データの内容を紹介するために商品データの一部を表示する紹介表示領域を有する。
上記の構成によれば、商品データの情報の一部を紹介する紹介表示を確認してから商品を購入するか否かを決定することができる。
本発明の商品供給・管理装置は、購入前商品陳列表示領域および購入後商品陳列表示領域のうち少なくともいずれか一方は、商品データの情報を所定の方法により整理して表示するための整理表示領域を有する。
上記の構成によれば、商品データの情報を簡単に整理することができる。
本発明の商品供給・管理装置は、購入前商品陳列表示領域が、操作手段を用いた操作により購入手段を動作させるための購入用表示領域を表示する。
上記の構成によれば、商品の購入を簡単に行なうことができる。
本発明の商品供給・管理装置は、購入前商品陳列表示領域は、試用のために商品としての機能を発揮させることができる割合が商品データのうちの何割かを表示する機能発揮可能割合表示領域を有する。
上記の構成によれば、試用のために商品の機能を発揮させることができる割合が何割かを簡単に認識することができる。
本発明の商品供給・管理装置は、機能発揮可能割合表示手段により表示される割合の表示方法を設定変更可能である。
上記の構成によれば、試用のために商品としての機能を発揮させることができる割合の表示方法を購入者の好みに応じて変更することが可能となる。
本発明の商品供給・管理装置は、電子情報通信網を介して商品データの提供者と通信可能に接続されており、購入前商品データ記憶手段に、電子情報通信網を介して提供者から随時送信されてくる新たな商品データを、購入前の商品データとして記憶させることが可能に設定されている。
上記の構成によれば、新たな購入前の商品データを発行後すぐに発見することが容易になる。
本発明の商品供給・管理装置は、購入手続きにおいて、商品データが暗号化されている場合、商品データを復号化するための鍵を商品データの提供者から購入可能である。
上記の構成によれば、商品データが暗号化されている場合、暗号化された商品データとその商品データを復号化する鍵とを同じ装置で購入することができるため、それぞれの管理が簡単となる。
本発明の商品供給・管理装置は、商品データが暗号化されている場合、鍵が商品供給・管理装置固有の公開鍵で暗号化されて送信され、公開鍵に対応する秘密鍵で復号化される。
上記の構成によれば、暗号化された商品データを復号化するための鍵が盗聴されることを防止することができる。
本発明の商品供給・管理システムは、上述のいずれかの商品供給・管理装置と、商品供給・管理装置と通信を行なって商品供給・管理装置に対して商品データを送信可能な商品データ提供手段とを備えている。
上記の構成によれば、商品の提供者により提供される購入前の商品を、商品の提供を受ける商品購入者の商品供給・管理装置の側で管理することができる。
本発明の商品供給・管理プログラムプロダクトは、コンピュータに商品データを入力させ、購入手続きにより商品データを商品としての機能を発揮させることが可能である商品供給・管理装置として動作させるためのプログラムプロダクトであって、購入前の商品データを商品供給・管理装置内へ入力するための入力手段と、入力手段により入力された購入前の商品データを記憶するための購入前データ記憶手段と、商品データを購入した場合に、購入後の商品データを記憶するための購入後データ記憶手段と、外部装置との通信により購入手続きを行なうための購入手段と、購入手続きが完了した場合に、外部装置と通信することなく、商品供給・管理装置内において、購入前データ記憶手段に記憶された購入前の商品データを購入後の商品データとして購入後データ記憶手段へ記憶させるとともに、商品としての機能を発揮させるための手段として、コンピュータを動作させる。
上記の構成によれば、商品の提供者により提供される購入前の商品を、商品の提供を受ける商品購入者の商品供給・管理装置の側で管理することができる。
本発明のコンピュータ読取り可能な商品供給・管理用記録媒体は、前述の商品供給・管理プログラムが記録されている。
上記の構成によれば、商品の提供者により提供される購入前の商品を、商品の提供を受ける商品購入者の商品供給・管理装置の側で管理することができる。
本発明の商品供給・管理方法は、商品データを入力させ、購入手続きにより商品データを商品としての機能を発揮させる商品供給・管理方法であって、購入前の商品データを商品供給・管理装置内へ入力させる入力ステップと、入力ステップにより入力された購入前の商品データを購入前データ記憶手段へ記憶させる購入前データ記憶ステップと、商品データを購入した場合に、購入後の商品データを購入後データ記憶手段へ記憶させる購入後データ記憶ステップと、通信により外部装置との間で購入手続きを行わせる購入ステップと、購入手続きが完了した場合に、外部装置と通信することなく、商品供給・管理装置内において、購入前データ記憶手段に記憶された購入前の商品データを購入後の商品データとして購入後データ記憶手段へ記憶させるとともに、商品としての機能を発揮させるステップとを備えている。
上記の構成によれば、商品の提供者により提供される購入前の商品を、商品の提供を受ける商品購入者の商品供給・管理装置の側で管理することができる。
発明を実施するための最良の形態
以下、本発明の実施の形態の一例の商品供給・管理装置を商品が書籍の場合の具体例を用いて説明する。
図１Ａ〜図１Ｃは、本実施の形態の書籍供給・管理装置の概略構成を示すブロック図である。図１Ａに示すように、書籍供給・管理装置１は、記録媒体の一例としてのＣＤ−ＲＯＭなどのメディア４により配布された電子情報を入力するメディアＩ／Ｆ部５と、インターネット２などの通信媒体を用いて配布された電子情報を入力する通信手段６とを備えている。また、書籍供給・管理装置１は、メディアＩ／Ｆ部５または通信手段６を介して入力された電子情報を記憶部へ記憶させて登録する登録手段７と、登録された電子情報を管理する記憶部８とを備えている。この記憶部８には、購入前の一部もしくは全てが暗号化されている電子書籍を記憶させる書店データ部８ａと、購入後の復号化された電子情報を記憶させる書斎データ部８ｂと、書斎データ部８ｂに記憶された購入後の書籍の電子情報に基づいて、ユーザの嗜好をまとめて嗜好データとして記憶する嗜好データ部８ｃとを備えている。
したがって、書店データ部８ａに記憶されている電子情報は、ユーザの書籍供給・管理装置１内に存在するが、ユーザはその電子情報の機能の一部もしくは全てを利用することができない、すなわち、書籍の一部もしくは全て読むことができないように暗号化されているため、ユーザの書籍供給・管理装置１内に書籍の提供者の仮想書店が存在する状態となっている。また、書斎データ部８ｂに記憶されている書籍の電子情報は、ユーザが自由に利用することができるため、ユーザ所有の仮想本棚として機能する。そして、ユーザは、書籍の販売者に対し購入手続きを行なうことにより、書店データ部８ａに記憶されている情報を書斎データ部８ｂに移動または複写して、その電子情報を復号化することにより、書籍を購読することが可能となる。
また、書籍供給・管理装置１は、書店データ部８ａ，書斎データ部８ｂ，嗜好データ部８ｃそれぞれで管理された電子情報を表示部（モニタ）９に表示させる表示手段１０を備えている。また、書籍供給・管理装置１は、書店データ記憶部８ａ，書斎データ部８ｂ，嗜好データ部８ｃそれぞれに記憶されている電子情報を検索する検索手段１１と、書籍を購入するための購入手続きにおいて使用される購入手段１２とを備えている。また、書籍供給・管理装置１は、書斎データ部８ｂで管理されている電子情報を分割する分割手段２７と、書斎データ部８ｂで管理されている電子情報を統合する統合手段２８とを備えている。
また、書籍供給・管理装置１は、購入手段１２により書籍を購入した際の購入履歴に基づいて、書籍の購読希望者（ユーザ）の嗜好を抽出する嗜好抽出手段１３と、嗜好抽出手段１３により抽出され、嗜好データ部８ｃに記憶された嗜好データに基づいてユーザに新たな書籍を提示する提示手段１４とを備えている。
また、書籍供給・管理装置１は、上記の登録手段７、表示手段１０、提示手段１４、購入手段１２、嗜好抽出手段１３、検索手段１１、分割手段２７および統合手段２８を制御するためのＵＩ制御部１５と、ＵＩ制御部１５にユーザの意思を伝達するためのユーザ情報入力手段としてのキーボード１６およびマウス１７とを備えている。上記の手段それぞれは、コンピュータとしての書籍供給・管理装置１の内のＲＯＭなどの記憶手段に組み込まれたプログラムの実行によりその機能を発揮する。
図１Ｂおよび図１Ｃは、本実施の形態の書籍供給・管理装置１のＧＵＩ（Ｇｒａｐｈｉｃａｌ  Ｕｓｅｒ  Ｉｎｔｅｒｆａｃｅ）の一例を示す図である。図１Ｂに示すように、本実施の形態の書籍供給・管理装置１の表示部９には、書店ウィンドウ１８と書斎ウィンドウ２０とが表示される。ここで、書店ウィンドウ１８内にある電子書籍１９の表示領域上にポインタを移動してマウス１７をダブルクリックすると、図１Ｃに示すように、書店ウィンド１８内にある電子書籍１９は電子書籍専用ビューア２２による表示に切換わり、電子書籍１９を試読できる状態になる。同様に、書斎ウィンド２０内にある電子書籍２１の表示領域上にポインタを移動してマウス１７をダブルクリックすると、図１Ｃに示すように、書斎ウィンドウ２０内にある電子書籍２１は電子書籍専用ビューア２２による表示に切換わり、電子書籍２１を購読できる状態になる。また、書店ウィンド１８内にある書籍を書斎ウィンド２０にドラッグ／アンド／ドロップすることにより書籍の購入手続きを行うことができる。
図２Ａ〜図２Ｃは、書籍供給・管理装置のＧＵＩの一例を示す図である。図２Ｂに示すように、図１Ａで示した表示部９に書店ウィンドウ１８と書斎ウィンドウ２０とが表示される。書店ウィンド１８では購入前の書籍を管理する。ここで、書店ウィンド１８内にある電子書籍１９をダブルクリックすると、図２Ａに示す電子書籍専用ビューア２２が表示される画面に切換わり電子書籍１９の試読ができる。ただし、電子書籍１９の一部の試読を行なうことは可能であるが、全文を購読することはできないように設定されている。
書店ウィンド１８で管理される電子書籍が試読しかできないのは、後述する書籍購入手続きで得られるキーがないと全てのページを読むことができないように設定されているためである。なお、このキーは、その電子書籍とその電子書籍専用ビューア２２とにおいて固有のものである。また、購入した電子書籍およびキーを他の書斎ウィンドウにコピーすることは可能であるが、その書斎ウィンドウの電子書籍専用ビューアではすべてのページを読むことができないように設定されている。これにより、電子書籍１９の書籍の版権を守ることができる。
書斎ウィンドウ２０では購入後の電子書籍を管理する。書斎ウィンドウ２０で管理されている電子書籍２１も同様にダブルクリックすると、図２Ａに示す電子書籍専用ビューア２２に切替わり、電子書籍２１を購読することができる。書斎ウィンド２０で管理される電子書籍を購読することができるのは、書籍購入手続きでキーを得ており、全てのページを読むことができるためである。なお、図２Ｂで示された画面上に電子書籍専用ビューア２２が表示されてもよい。
また、購入手続きとしては、図１Ｂで示したドラッグ／アンド／ドロップによる書籍の購入手続き以外に、図２Ｃに示すように、買物カゴ２３を用いたものもある。図２Ｂにおいて、書店ウィンド１８内にある電子書籍１９を買い物カゴアイコン４４にドラッグし、買い物カゴアイコン４４をクリックすると、図２Ｃに示す買い物カゴ２３の表示に切替わる。また、図２Ｂの画面上に買い物カゴ２３が表示されてもよい。買い物カゴ２３で電子書籍の購入手続きを終えると、図２Ｂに示す表示画面に戻り、購入された電子書籍２１が書斎ウィンド２０に表示される。このとき、書籍供給・管理装置１の書店ウィンド１８の電子書籍１９を記憶している書店データ部８ａから書斎ウィンドウ２０の電子書籍２１を記憶している書斎データ部８ｂへ電子書籍に関するデータが移動または複写される。
図３は、書店ウィンドウ１８および書斎ウィンドウ２０で管理される書籍情報３０の表示形態を示す図である。各書籍情報３０は電子的商品である電子書籍ファイル３１と書誌情報ファイル３２とのペアで構成される。ただし、書籍が実本の場合、電子データでの電子書籍は記録情報としては存在していないため、書誌情報ファイル３２のみが表示される。書誌情報３２には、サムネイル画像３３、背表紙画像３４、タイトル、著者名、書籍概要などが含まれている。
図４は、書店構造、すなわち、書店ウィンドウ１８に表示される表示形態の構造概念を説明するための図である。書店ウィンドウ１８には複数の書店Ｘ，Ｙ・・・が存在し、各書店の下項目には書籍の属する分野を示すジャンルが複数存在する。また、ジャンル以外に新刊書籍、すなわち、電子書籍の提供者から新たな電子書籍が送信されてきた場合に、各ジャンルに振り分けされる前に一時記憶されている電子書籍のみをまとめて表示することができる領域が必ず存在し、新刊書籍は一旦必ず新刊に格納された後、出版日付以降は各ジャンル毎に振り分けられてそれぞれの記憶領域へ自動的に移動される。出版日前の書籍は、試読または書誌情報３２の閲覧のみを行なうことができるが、電子書籍の全てを購入はできないように設定されている。なお、新刊書籍は、ＣＤ−ＲＯＭなどのメディア４により配布された電子書籍が登録されてもよいし、Ｗｅｂサイトより電子書籍がダウンロードされ、そして登録されてもよい。また、提供者のサーバから購入希望者の書籍供給・管理装置へ、書籍の新刊が発行される毎に随時自動的にその書籍のデータが送信されるようにしてもよい。
図５は、書店ウィンドウ１８の実際の表示形態の一例を示す図である。書店ウィンドウ１８は、書店名表示領域４１、書籍表示領域４２、書籍操作領域（操作用領域）４３、買物カゴアイコン４４などから構成される。書店名表示領域４１には、現在参照している書店の名前が表示される。また、前述したように、書店ウインドウ１８には複数の書店が存在するので、他の参照先店への切換も行なうことができる。そして、たとえば、書籍表示領域４２には、選択された書店の各ジャンル１〜Ｎごとの書籍の名称等が表示される。ここには、実本の書籍名称も合わせてジャンル別に表示される。各ジャンルタブでジャンル別の書籍情報３０の表示の切換が可能である。全書籍を表示するタブもある。また、書籍表示領域４２に表示されている書籍の名称上にマウス１７の操作によるカーソール（矢印等）を一定時間置いておくと、その書籍の書誌情報３２が表示される機能を有しており、書誌情報３２として表示される情報は、タイトル、著者、出版社、書籍概要などである。
さらに、書籍表示領域４２に表示されている書籍の名称をダブルクリックすると、電子書籍の場合、電子書籍専用ビューア２２が起動し、電子書籍を試読することができる。実本の場合、書誌情報３２のみが表示される。表示される情報は前述の書籍の名称上にマウス１７の操作によるカーソール（矢印等）を一定時間置いた場合に表示されるものと同様で、タイトル、著者名、出版社、書籍概要などである。書籍操作領域４３では、書籍の著者名、タイトル名、出版日などの項目による並び替え操作、書籍の検索操作などを行なうことができる。そして、書籍表示領域４２に並べ替え結果や検索結果を表示する。また、買物カゴアイコン４４は、後述する書籍購入時に用いる。
図６は、書店ウィンドウ１８の書籍表示領域４２における電子書籍の表示形態の第１の例を示した図である。書籍表示領域４２に本棚５２を表示する。そして、その本棚５２に書籍のページの厚み表示を付与したサムネイル画像３３を表示する。ページの厚みの表示のないサムネイル表示も可能である。なお、ページの厚みは、表示される書籍のサムネイル画像の奥行きで表わしてもよいし、高さで表わしてもよい。また、たとえば、電子書籍全ページのうち何ページまで試読できるかを示す試読量表示５４を表示するか否かの切換が可能である。本棚５２のサイズ、段数、３次元／２次元表示切換などは、ユーザが自由に変更できるように設定されている。
図７は、書店ウィンドウ１８の書籍表示領域４２における電子書籍の表示形態の第２の例を示した図である。図６を用いて示した第１の例と同様に、まず、書籍表示領域４２に本棚５２を表示する。そして、その本棚５２に電子書籍の背表紙画像３４を表示する。図６を用いて示したサムネイル画像表示と同様に、電子書籍の試読量表示５４をするか否かの切換が可能であり、本棚５２のサイズ、段数、３次元／２次元表示切換なども、ユーザが自由に行なえるように設定されている。
図８は、書店ウィンドウ１８の書籍表示領域４２における電子書籍の表示形態の第３の例を示した図である。この例では、書籍表示領域４２に電子書籍のサムネイル画像３３やタイトル、著者名などの書誌情報３２が詳細表示される。
図９は、書店ウィンドウ１８の書籍表示領域４２における電子書籍の表示形態の第４の例を示す図である。この例では、書籍表示領域４２に電子書籍がリスト表示される。表示される項目は、タイトル、著者名、出版社名、ＩＳＢＮ、出版日、ページ数、試読量、書籍概要などである。また、各項目のクリックによるソートが可能なように設定されている。
図１０は、書斎ウィンドウ２０の構成を示す図である。書斎ウィンドウ２０には、書籍表示領域９１および書籍操作領域９２などが表示される。書籍表示領域９１には、購入された書籍（電子書籍のみならず実本も含む）が表示される。書店ウィンドウ１８の書籍表示領域４２と同様に、書籍は、上述したサムネイル表示、背表紙表示、詳細表示またはリスト表示などの表示切換を行なうことができるように設定されている。ただし、書斎ウィンドウ２０で管理されている電子書籍は、購入済の書籍であるため、その電子書籍の試読量表示は行なわれない。
また、書籍操作領域９２のタブ編集機能を用いて作成した、購入された書籍（電子書籍のみならず実本を含む）をすべて表示する全部タブや、お気に入りの書籍を置くお気に入りタブ、さらに各ジャンルごとのタブで書籍表示を切換えることができる。この書籍供給・管理装置のユーザは書籍をマウス１７のドラッグ／アンド／ドロップなどの操作で任意のジャンルに移動させることができる。書籍操作領域９２では、書店ウィンドウ１８の書籍操作領域４３と同様に、書籍の著者名、タイトル名、出版日、購入日など項目による並べ替え操作や、書籍の検索、および、書籍の分冊、統合や、実本の情報の登録ができる。また、分割手段２７および統合手段２８の機能により、書籍の分冊および統合が可能に設定されている場合に、一冊の書籍を複数の書籍に分冊化したり、もしくは、複数の書籍を一冊の書籍に統合したりすることができる。そのため、ユーザが複数の書籍からお気に入りの部分もしくは必要な部分を取出し、一冊の書籍にまとめて、容易に管理することが可能である。
実本の情報登録機能では、ユーザが既に所有している実本の情報も仮想本棚に登録することができる。そのため、ユーザが既に所有している実本の情報を、仮想本棚で購入した他の電子書籍や、実本の情報と一緒に管理することが可能である。これにより、書籍購入時に同じ書籍を２度購入しようとする際に、その書籍を既に所有している旨をユーザに知らせ、重複購入を防ぐことができる。重複購入の防止方法の具体例は、後述する。さらに、ジャンルタブの編集機能を持つ。これにより、新規ジャンルタブの追加、既存のジャンルタブの削除、ジャンル名の変更などを行なうことができる。
図１１Ａ〜図１１Ｂは、書籍購入手続の第１の例を説明するための図である。図１１Ａに示すように、仮想書店としての書店ウィンドウ１８にある書籍ｂを選択し、書斎ウィンドウ２０に、ドラッグ／アンド／ドロップすることにより、書籍の購入手続が行なわれる。図１１Ｂに示すように、購入手続終了後に購入した書籍が仮想本棚としての書斎ウィンドウ２０に登録される。なお、複数の書籍を選択して購入することも可能であるが、書籍購入手続の詳細は後述する。
図１２Ａ〜図１２Ｃは、書籍購入手続の第２の例を説明するための図である。図１２Ａに示すように、書店ウィンドウ１８にある書籍ｂを選択し買物カゴアイコン４４にドラッグ／アンド／ドロップする。この買物カゴアイコン４４を用いて、複数の書籍を選択して購入することも可能である。次に、図１２Ｂに示すように、買物カゴアイコン４４をクリックすると、図２Ｃに示す買物カゴ２３が表示される画面に切替わる。なお、図１２Ａの画面上に買い物カゴ２３が表示されてもよい。次に、図１２Ｃに示すように、買物カゴ２３において、後述する購入手続を行なうと、購入した書籍ｂが書斎ウィンドウ２０に登録される。すなわち、購入前の書籍の情報を記憶する書店データ部８ａから購入後の書籍の情報を記憶する書斎データ部８ｂへ書籍の電子情報が移動または複写される。
図１３は、書籍購入手続の際に用いる買物カゴ２３（図２Ｃ参照）の構成を示す図である。買物カゴ２３は、購入対象書籍の表示領域１２１、購入対象書籍の合計金額表示領域１２４および購入対象書籍の操作領域１２５等から構成される。購入対象書籍の表示領域１２１には、仮想書店から買物カゴアイコン４４にドラッグ／アンド／ドロップされた書籍の情報が表示される。表示される書籍の情報は、サムネイル画像３３、タイトル、著者名、書籍概要などである。
先に、買物カゴ２３を表示させた後に、書店ウィンドウ１８から書籍を買物カゴ２３または買物カゴアイコン４４にドラッグ／アンド／ドロップしても、買物カゴ２３の購入対象書籍の表示領域１２１に購入対象書籍を追加表示することができる。購入対象書籍の合計金額表示領域１２４には、購入対象書籍の表示領域１２１に表示されている購入対象書籍の合計金額１２４が表示される。
また、購入取消チェックボックス１２３の指定により、購入手続きの取消しを選択することができる。この購入取消チェックボックスのＯＮ／ＯＦＦに連動し、購入対象書籍の合計金額１２４は増減する。購入書籍の操作領域１２５には購入ボタン１２６、クリアボタン１２７などがある。購入ボタン１２６を押すことにより、購入対象書籍の購入手続を行なうことができる。また、クリアボタン１２７を押すことにより、買物カゴ２３にある全書籍がクリアされる。
重複購入防止方法の第１の例は、書店ウィンド１８にある書籍を選択して、書斎ウィンド２０に、ドラッグ／アンド／ドロップする際に、その書籍が既に購入済みであれば、その旨をユーザに知らせるという方法である。
重複購入防止方法の第２の例は、書店ウィンド１８にある書籍を選択して、買い物カゴアイコン４４に、ドラッグ／アンド／ドロップする際に、その書籍が既に購入済みであれば、その旨をユーザに知らせるという方法である。
重複購入防止方法の第３の例は、書店ウィンド１８にある書籍を選択して、買い物カゴ２３に、ドラッグ／アンド／ドロップする際に、その書籍が既に購入済みであれば、その旨をユーザに知らせるという方法である。
重複購入防止方法の第４の例は、書店ウィンド１８の書籍表示領域４２において、すでにユーザが所有している書籍の表示態様と、ユーザが所有していない書籍の表示態様とを、視覚的に区別できるようにするという方法である。
重複購入防止方法の第５の例は、書店ウィンド１８の書籍表示領域４２において、すでにユーザが所有している書籍は表示しないようにするという方法である。
重複購入防止方法の第６の例は、書店ウィンド１８の書籍表示領域４２に表示されている書籍上にマウス１７の操作によりカーソール（矢印など）を置いた際に、その書籍をすでに所有している場合と、ユーザが所有していない場合とで、書籍の表示態様を視覚的に区別できるようにするという方法である。
重複購入防止方法の第７の例は、書店ウィンド１８の書籍表示領域４２に表示されている書籍上にマウス１７の操作によりカーソール（矢印など）を置いた際に、その書籍をすでに所有している場合と、ユーザが所有していない場合とで、カーソールの表示態様を視覚的に区別できるようにするという方法である。
重複購入防止方法の第８の例は、書店ウィンド１８の書籍表示領域４２に表示されている書籍上にマウス１７の操作によりカーソール（矢印など）を一定時間置いた際に表示される書籍情報３２に、その書籍情報３２にすでにユーザが所有しているかどうかの情報も追加するという方法である。
重複購入防止方法の第９の例は、書店ウィンド１８の書籍表示領域４２に表示されている書籍上にマウス１７の操作によりカーソール（矢印など）を置いた際に、その書籍をすでにユーザが所有している場合、書店ウィンド２０の書籍表示４３に自動的にその書籍を表示するという方法である。
図１４は、電子書籍購入手続の処理の流れを説明するためのフローチャートである。図１５は、電子書籍購入手続の処理の流れを示す機能ブロック図である。図１４および図１５を参照して、電子書籍購入手続および書籍を購入するためのシステムを説明する。まず、購入する電子書籍を書店ウィンドウ１８から書斎ウィンドウ２０にドラッグ／アンド／ドロップし、または、書店ウィンドウ１８から買物カゴ２３にドラッグ／アンド／ドロップして購入ボタン１２６を押した後の購入手続は以下のようになる。
まず、電子書籍の購入を希望するユーザとしてクライアント側の書籍供給・管理装置１から電子書籍の提供者の電子書籍提供用のサーバ３へ、購入要求として購入する電子書籍の書籍ＩＤと電子書籍専用ビューア２２のビューアＩＤを送信する（ステップＳ０１）。書籍ＩＤは、書店ウィンド１８に登録されている購入する前の電子書籍の書籍情報３０の書誌情報３２から得られる。次に、サーバ３と書籍供給・管理装置１との間で、課金処理などの購入処理を適宜行なう（ステップＳ０２）。そして、サーバ３において、書店データ部８ｂに記憶されている購入前の暗号化された電子書籍を復号化するためのキーファイルである電子書籍キーファイル３５を作成し（ステップＳ０３）、ユーザにそのキーファイル３５を書籍供給・管理装置１へダウンロードさせ（ステップＳ０４）、購入手続を終了する。購入手続終了後、購入された電子書籍の書籍情報３０（図３参照）は書斎ウィンドウ２０において管理される。
図１６は、実本の購入手続の処理の流れを説明するためのフローチャートである。図１７は、実本の購入手続の処理の流れを示す機能ブロック図である。図１６および図１７を参照して、実本の購入手続を説明する。まず、購入する書籍を書店ウィンドウ１８から書斎ウィンドウ２０へドラッグ／アンド／ドロップし、または、書店ウィンドウ１８から買物カゴ２３にドラッグ／アンド／ドロップして購入ボタン１２６を押した後の購入手続は以下のようになる。
まず、電子書籍の購入を希望するユーザとしてクライアント側の書籍供給・管理装置１から実本の提供者のサーバ３へ、購入要求として購入する実本の書籍ＩＤを送信する（ステップＳ１１）。書籍ＩＤは、購入する実本の書籍情報３０の書誌情報３２から得られる。次に、サーバ３と書籍供給・管理装置１との間で、課金処理などの購入処理を適宜行なう（ステップＳ１２）。そして、サーバ３からユーザに実本の購入の受注を受けたことを確認するための受注確認メールを送信する（ステップＳ１３）。次に、サーバ３において、実本の発送手続を行なうとともに、ユーザに実本を発送したことを告げるための発送確認のメールを送信し（ステップＳ１４）、購入手続を終了する。購入手続終了後、購入された書籍（実本）の書籍情報３０は書斎ウィンドウ２０において管理される。このとき、書斎ウィンド２０の書籍表示領域４３における、購入された書籍の表示態様を他の書籍の表示態様と視覚的に区別できるようにする。また、視覚的に区別する方法として、たとえば、発送中と書籍の上に表示することなども考えられる。なお、実本は後日、配達業者等を介してユーザに届けられる。実本発送中に上述の書斎ウィンド２０の書籍表示領域４３における書籍の表示態様を他の書籍の表示態様と視覚的に区別できるようにしている場合、実本が届いた際に一緒に届けられた書籍の情報等を書籍供給・管理装置１に入力することにより、書斎ウィンド２０の書籍表示領域４３における、書籍の表示態様を他の書籍の表示態様と同様の表示態様にすることも可能である。なお、上記した書籍供給・管理装置１とサーバ３とにより本発明の商品供給・管理システムが構成されている。
上記のような本実施の形態の書籍供給・管理装置によれば、前述の購入手続の際のクライアント側の書籍供給・管理装置１で保存される購入履歴情報を用いて、ユーザの購入を希望する書籍に関する嗜好データを抽出することができる。すなわち、ユーザの嗜好データを各ユーザが所有する書籍供給・管理装置１で管理するため、サーバ３側で各ユーザの嗜好データをまとめて管理する必要がなくなる。そのため、サーバ３へアクセスして多数のユーザの多数の嗜好データを盗聴して利用するという不正な行為を防止することができる。したがって、書籍の提供者がユーザの嗜好に合致した書籍を提示するということを第三者にプライバシー情報が漏洩することなく、また、サーバ３に多数のクライアントの大量の嗜好データを管理するための負担をかけることなく行なうことができる。
したがって、上記の書籍供給・管理装置１を用いれば、たとえば、次のような具体的な利点がある。
書籍を新刊に登録する際に、ユーザ嗜好情報から、そのユーザの嗜好と合致した書籍を提示することができる。また、あるユーザＡが過去にジャンルＢの書籍を多く購入していたならば、新刊にジャンルＢの書籍が登録されれば、その書籍をユーザに紹介することができる。
また、著者Ｃの書籍を特に多く購入していれば、新刊に著者Ｃの書籍が登録されれば、その書籍を紹介することができる。また、過去に書籍Ｄの１巻を購入していれば、新刊に書籍Ｄの２巻が登録されれば、その書籍を提示することができる。
なお、書籍の提示方法としては、書店ウィンドウ１８の書籍表示領域４２において、提示する形態を表示領域の上部の目立つ位置に置いたり、他の書籍と視覚的に区別（たとえば、色または大きさを変える等）できる違いをつけたり、新たに発行された書籍紹介用の表示領域を設けて、ユーザに分かり易いように表示させたりする。これにより、新刊書籍の情報が書籍供給・管理装置１に送信されてきていることをユーザにより明確に知らせることができる。
上記の本実施の形態においては、書籍供給・管理装置１を用いて説明したが、書籍に特化せず、電子情報として管理することができる電子商品であれば他のものであってもよい。たとえば、クライアント側の商品供給・管理装置の表示画面に、モールウィンドウ（書店ウィンドウ１８に対応）と自宅ウィンドウ（書斎ウィンドウ２０に対応）とを設け、購入前の商品および商品情報（電子書籍および実本の書誌情報に対応）とを購入済の商品および商品情報をそれぞれ別々に管理する。
そして、モールウィンドウでは、購入前の商品および商品情報を管理する。たとえば、商品は、モールウィンドウ内の陳列棚などにおいて、各商品カテゴリごとに整理されるようにする。このモールウィンドウにおいて、ユーザは、商品の自由なウィンドウショッピング（たとえば、電子書籍の試読や実本の書誌情報の閲覧、商品比較、各検索等に対応）等を行なえるように設定する。
また、自宅ウィンドウでは、購入済の商品および商品情報を管理し、閲覧することができるように設定する。また、ユーザが既に所有している実商品（実本に対応）の情報の登録も可能にする。そして、ユーザが商品供給・管理装置を用いて購入した購入済の商品とユーザが既に所有している商品および商品の情報とを一緒に管理することができるように設定する。
さらに、モールウィンドウと同様に購入済の商品および商品情報は自宅ウィンドウ内の陳列棚などにおいて、各商品カテゴリごとに整理できるように設定する。また、ユーザの好みでも整理でき、各種検索も行なえるようにする。また、モールウィンドウで選択した商品（アイコンなど）の自宅ウィンドウへのドラッグ／アンド／ドロップや買物カゴなどの購入ＩＦ（インターフェース）を有しており、簡単な処理で購入手続ができるようにする。
上記のような商品供給・管理装置によれば、上記実施の形態の書籍供給・管理装置と同様に、クライアント側に保存されている商品購入履歴情報を用いて、ユーザの嗜好データを抽出し、その抽出されたデータに基づいて、ユーザの嗜好に合致した商品を提示するといったことを第三者にプライパシー情報が漏洩することなく、また、サーバ側に負担をかけることなく実現することが可能である。
また、購入前商品をモールウィンドウで、購入済情報を自宅ウィンドウで、別々に管理することができる。また、それぞれで商品カテゴリごとにも整理することができ、モールウィンドウでのウィンドウショッピング、各種検索、購入から自宅ウィンドウでの各種検索、管理、閲覧および実商品の情報登録までをひとまとめにしたユーザへの快適な商品供給および管理環境を提供することができる。さらに、購入時の履歴情報を利用した、ユーザの嗜好に合致した商品提示ができ、ユーザの商品購入意欲を高めることができる。
なお、今回開示された実施の形態はすべての点で例示であって制限的なものではないと考えるべきである。本発明の範囲は上記した説明ではなく特許請求の範囲によって示され、特許請求の範囲と均等の意味および範囲内でのすべての変更が含まれることが意図される。
産業上の利用可能性
本発明の商品供給・管理装置によれば、商品の提供者により提供される購入前の商品を、商品の提供を受ける商品購入者の側で管理することができるので、装置の商品の購入者の個人の嗜好情報が盗聴される危険性が低くなるため、商品の購入者のプライバシーを保護し易くなる。
【図面の簡単な説明】
図１Ａ〜１Ｃは、書籍供給・管理装置の概略構成およびＧＵＩの一例を示すブロック図である。
図２Ａ〜２Ｃは、書籍供給・管理装置のＧＵＩの一例を説明するための図である。
図３は、書籍情報を説明するための図である。
図４は、書店ウィンドウの概要を説明するための図である。
図５は、書店ウィンドウの構成を説明するための図である。
図６は、書店ウィンドウの書籍表示領域における書籍表示の第１の例を示す図である。
図７は、書店ウィンドウの書籍表示領域における書籍表示の第２の例を示す図である。
図８は、書店ウィンドウの書籍表示領域における書籍表示の第３の例を示す図である。
図９は、書店ウィンドウの書籍表示領域における書籍表示の第４の例を示す図である。
図１０は、書斎ウィンドウの構成を示す図である。
図１１Ａおよび図１１Ｂは、書籍購入手続の第１の例を説明するための図である。
図１２Ａ〜図１２Ｃは、書籍購入手続の第２の例を説明するための図である。
図１３図は、書籍購入手続の際に用いられる買物カゴの構成を示す説明図である。
図１４は、電子書籍購入手続の処理の流れを説明するためのフローチャートである。
図１５は、電子書籍購入手続の処理の流れを示す機能ブロック図である。
図１６は、実本の購入手続の流れを説明するためのフローチャートである。
図１７は、実本の購入手続の流れを示す機能ブロック図である。
【図１Ａ】
2002084550.tif 000003
【図１Ｂ】
2002084550.tif 000004
【図１Ｃ】
2002084550.tif 000005
【図２Ａ】
2002084550.tif 000006
【図２Ｂ】
2002084550.tif 000007
【図２Ｃ】
2002084550.tif 000008
【図３】
2002084550.tif 000009
【図４】
2002084550.tif 000010
【図５】
2002084550.tif 000011
【図６】
2002084550.tif 000012
【図７】
2002084550.tif 000013
【図８】
2002084550.tif 000014
【図９】
2002084550.tif 000015
【図１０】
2002084550.tif 000016
【図１１Ａ】
2002084550.tif 000017
【図１１Ｂ】
2002084550.tif 000018
【図１２Ａ】
2002084550.tif 000019
【図１２Ｂ】
2002084550.tif 000020
【図１２Ｃ】
2002084550.tif 000021
【図１３】
2002084550.tif 000022
【図１４】
2002084550.tif 000023
【図１５】
2002084550.tif 000024
【図１６】
2002084550.tif 000025
【図１７】
2002084550.tif 000026
【国際調査報告】
2002084550.tif 000027
2002084550.tif 000028
2002084550.tif 000029
2002084550.tif 000030